(57)【要約】【課題】  レーベル面に可視画像を容易に追加印刷できる記録型光ディスク及び光ディスク装置を提供する。【解決手段】  光ディスク１００ａは、可視画像を片面に記録可能な情報記録型光ディスクであって、レーザ光により情報を示すマークが記録される情報記録層を含むディスク基板と、前記ディスク基板上に、該ディスク基板と同心円に形成され、レーザ光により可視画像を記録可能なレーベル記録領域１０１ａと、前記レーベル記録領域より内周側又は外周側に設けられ、レーザ光により印刷情報を示す記録マークが記録されるレーベル側情報記録領域１０２を具備する。前記印刷情報に基づいて、レーベル記録領域１０１ａにレーザ光を用いて可視画像が印刷される。【選択図】    図１
2005339715.tif 000002
【特許請求の範囲】
【請求項１】
可視画像を片面に記録可能な情報記録型光ディスクであって、
レーザ光により情報を示すマークが記録される情報記録層を含むディスク基板と、
前記ディスク基板上に形成され、レーザ光により可視画像を記録可能なレーベル記録領域と、
前記レーベル記録領域より内周側又は外周側に設けられ、レーザ光により情報を示すマークが記録されるレーベル側情報記録領域、
を具備することを特徴とする光ディスク。
【請求項２】
前記レーベル側情報記録領域はフタロシアニン系の記録層を具備することを特徴とする請求項１記載の光ディスク。
【請求項３】
可視画像を片面に記録可能な情報記録型光ディスクであって、
ディスク基板と、
前記ディスク基板上に、該ディスク基板と同心円に形成され、レーザ光により情報を示すマークが記録される情報記録層と、
前記情報記録層上に形成された保護膜と、
前記保護膜上に形成され、前記情報記録層より大きな内径及び前記情報記録層より小さな外径を有し、可視画像を記録可能なレーベル記録層と、
を具備することを特徴とする光ディスク。
【請求項４】
前記情報記録層はフタロシアニン系の記録材料を具備することを特徴とする請求項３記載の光ディスク。
【請求項５】
前記保護膜はＣＤレーザが透過する材料を具備することを特徴とする請求項３記載の光ディスク。
【請求項６】
ディスクのレーベル面側に、可視画像を記録可能なレーベル記録領域と、情報を示すマークを記録可能なレーベル側情報記録領域とを具備する記録型光ディスクの前記レーベル記録領域に可視画像を記録する光ディスク装置であって、
前記レーベル記録領域に可視画像を記録するレーザ光を発生し、前記ディスクの半径方向に移動可能なピックアップと、
印刷情報を入力する手段と、
前記ピックアップを制御して、前記レーザ光により前記印刷情報に対応する可視画像を前記レーベル記録領域上に記録する手段と、
印刷情報を前記レーベル側情報記録用域に書き込む手段と、
を具備することを特徴とする光ディスク装置。
【発明の詳細な説明】
【技術分野】
【０００１】
本発明は、レーベル面に可視画像をレーザ光を用いて記録することができる光ディスク及び該光ディスクに前記可視画像を記録する光ディスク装置に関する。
【背景技術】
【０００２】
周知のように近年では、情報記録メディアとしてＣＤやＤＶＤのような光ディスクが普及している。ＣＤとしては、再生専用のＣＤ−ＲＯＭ、追記可能なＣＤ−Ｒ、書換え可能なＣＤ−ＲＷ等があり、ＤＶＤとしては再生専用のＤＶＤ−ＲＯＭ、追記可能なＤＶＤ−Ｒ、書換え可能なＤＶＤ−ＲＡＭ、ＤＶＤ−ＲＷ等がある。記録型光ディスクつまり追記可能又は書換え可能な光ディスクは情報記録層を有し、該情報記録層の記録容量は例えばＣＤ−Ｒの場合は７００ＭＢ程度、ＤＶＤ−Ｒ等の場合は４．７ＧＢ程度である。
【０００３】
記録型光ディスクの情報記録層側の面とは反対側のレーベル面には、光ディスクの種類等を示す文字あるいはロゴが例えばシルク印刷される。又、インクジェットプリンタ又は手書きで文字や絵を記録できるレーベル面を有する光ディスクも普及している。
【０００４】
最近では、レーベル面に絵や文字等の可視画像をレーザ光を用いて記録することができるlight Scribeと呼ばれるディスクが下記非特許文献１のように公開されている。
【非特許文献１】インターネットＵＲＬ：    http://www.hp.com/hpinfo/newsroom/press_kits/2004/ces/prodserv.html
【発明の開示】
【発明が解決しようとする課題】
【０００５】
光ディスクドライブのレーザで、レーベル面に印刷可能な光ディスク(以下、印刷可能光ディスクという)に対して印刷を行なった際、ディスク本体に対して記録範囲等の情報は記録できない。つまり、レーベル面の記録では、追記の可否や、どこまでの位置まで印刷されているかの情報を記録できない。
【０００６】
このため、既に印刷済みの印刷可能光ディスクに追加印刷を行なうためには、ユーザが以前印刷した情報をメディア毎に保持しておき、追記する必要がある。従って、複数のドライブ/(PC)システム間で追記印刷することができなかった。
【０００７】
本発明は、レーベル面に可視画像を容易に追加印刷できる記録型光ディスク及び光ディスク装置を提供するを目的とする。
【課題を解決するための手段】
【０００８】
光ディスク装置のレーザでレーベル面に印刷可能な光ディスクに印刷を行ったとき、該情報を前記ディスクに記録しておくことにより、記録されている範囲や追記可能エリアなどを把握することができ、単独のドライブにおいて又は複数ドライブ間でレーベル印刷の追記が可能となる。
【０００９】
本発明に係る印刷可能光ディスクは、印刷した可視画像に関する印刷情報をＣＤレーザ等のレーザ光を用いて記録再生でき、記録された印刷情報は目視では判別が難しい。レーベル記録層の内周又は外周に、例えばフタロシアニン系の記録層を形成しＣＤレーザで記録再生を行う。
【発明の効果】
【００１０】
レーベル面に可視画像を容易に追加印刷できる記録型光ディスク及び光ディスク装置が提供される。
【発明を実施するための最良の形態】
【００１１】
図１は本発明の一実施形態に係る情報記録型光ディスク１００ａの構造を示す。光ディスク１００ａは情報記録型ディスクであって、ディスク基板の一方の側に情報記録面を有し、他方の側にレーベル面を有する。図１は光ディスク１００ａをレーベル面から見た図である。
【００１２】
ディスク１００ａのレーベル面側には、レーベル記録領域１０１ａがディスク１００ａと同心円で形成される。レーベル記録領域１０１ａは光ディスク装置のレーザを用いて印刷が可能な領域である。レーベル記録領域１０１ａより内周、つまりレーベル記録領域１０１ａとクランプエリア１０３の間にはレーベル側情報記録帯１０２が設けられる。このレーベル側情報記録帯１０２には、レーベル記録領域１０１ａに印刷した文字や絵の可視画像の印刷範囲等を含む印刷情報がレーザ光を用いて記録再生される。レーベル側情報記録帯１０２に記録された印刷情報は目視では判別が難しい。１０４はディスク１００ａを装置に装着するための孔である。
【００１３】
レーベル側情報記録帯１０２には印刷範囲や印刷基となった情報(ファイル名、日付)などを記録する。これにより、複数のドライブ/システム間で追記印刷が可能となる。また、複数ドライブ/システム間のみならず、単体のドライブ/システムにおいても、メディアに記録されている情報を読み込むことにより、容易に追記印刷が可能となる。
【００１４】
図２は本発明の第２実施形態に係る情報記録型光ディスク１００ｂの構造を示す図であり、図２（ａ）は平面図、図２（ｂ）は断面図である。
【００１５】
図２（ａ）のように、ディスク１００ｂのレーベル面側は、ドーナツ形のレーベル記録領域１０１ａがディスク１００ｂと同心円で設けられ、レーベル記録領域１０１ａより内周側にレーベル側情報記録帯１０５ａが設けられ、レーベル記録領域１０１ａより外周側にレーベル側情報記録帯１０５ｂが設けられている。
【００１６】
図２（ｂ）のように、ディスク基板１０６上に情報記録層１０５が形成され、その上に情報記録層１０５を覆うように保護膜１０７が形成され、その上にレーベル記録層１０１が形成されている。
【００１７】
情報記録層１０５はフタロシアニン系の記録層であり、その外径はレーベル記録層１０５よりも小さく、内径はレーベル記録層１０５よりも大きい。保護膜１０７は、ＣＤレーザ（波長：７８０ｎｍ）が通過する材質で透明である。情報記録層１０５にＣＤレーザを合焦することにより、情報の書き込みとその読み取りが可能になる。
【００１８】
図３は本発明の第３実施形態に係る情報記録型光ディスク１００ｃの構造を示す断面図である。
【００１９】
ディスク基板１０６上に情報記録層１０８が形成され、その上に情報記録層１０８を覆うように保護膜１０９が形成される。保護膜１０９上の最内周側にはレーベル側情報記録帯１０７ａ、最外周側にはレーベル側情報記録帯１０７ｂが形成され、レーベル側情報記録帯１０７ａは保護膜１１０ａで覆われ、レーベル側情報記録帯１０７ｂは保護膜１１０ｂで覆われている。レーベル記録層１０１は、保護膜１０９上でレーベル側情報記録帯１０７ａとレーベル側情報記録帯１０７ｂ間の領域に形成されている。
【００２０】
情報記録層１０８は、例えばＤＶＤ−Ｒに使用される材質であるが、レーベル側情報記録帯１０７ａ、１０７ｂは、フタロシアニン系の記録層で構成する。保護膜１１０ａ、１１０ｂは、ＣＤレーザ（波長：７８０ｎｍ）が通過する材質で透明ある。レーベル側情報記録帯１０７ａ、１０７ｂにＣＤレーザを合焦することにより、情報の書き込みとその読み取りが可能になる。
【００２１】
光ディスク１００ｃは、この例ではＤＶＤ−Ｒであるが、本発明はＤＶＤ−ＲＡＭ、ＤＶＤ−ＲＷような書換え可能な光ディスクにも適用できる。ＤＶＤ−Ｒのような追記可能光ディスクは、レーザ照射部分の反射率が永久変化する色素を含む情報記録層１０８を有し、レーザ光を用いて情報を示す記録マークが形成され、情報の記録再生が行われる。ＤＶＤ−ＲＡＭ又はＤＶＤ−ＲＷのような書換え可能な光ディスクは、レーザ照射により相変化する情報記録層１０８を有し、レーザ光を用いて情報を示す記録マークが形成され、情報の記録再生及び書換えが行われる。これはＣＤ−Ｒ、ＣＤ−ＲＷの場合も同様である。
【００２２】
図４はフタロシアニン系使用のＣＤ−Ｒディスクの記録前および記録後の光吸収率特性を示す。可視光である４００〜７５０ｎｍで変化が少なく、特に６００ｎｍあたりでは、反射率が低いため、目視では判別がむずかしい。
【００２３】
次に、光ディスク１００ａ〜１００ｃのような印刷可能光ディスクに対して情報を記録再生し、レーベル面に可視画像を印刷する光ディスク装置について説明する。
【００２４】
図５は本発明に係る光ディスク装置の一実施形態を示すブロック図である。
【００２５】
光ディスク１００のディスク基板の情報記録層側にはスパイラル状にランドトラック及びグルーブトラックが形成されており、このディスク１００はスピンドルモータ６３によって回転駆動される。光ディスク１００に対する情報の記録、再生は、光ピックアップ６５によって行われる。光ピックアップ６５は、スレッドモータ６６とギアを介して連結されており、このスレッドモータ６６はスレッドモータ制御回路６８により制御される。
【００２６】
スレッドモータ制御回路６８に速度検出回路６９が接続され、この速度検出回路６９により検出される光ピックアップ６５の速度信号がスレッドモータ制御回路６８に送られる。スレッドモータ６６の固定部に、図示しない永久磁石が設けられており、駆動コイル６７がスレッドモータ制御回路６８によって励磁されることにより、光ピックアップ６５が光ディスク１００の半径方向に移動する。
【００２７】
光ピックアップ６５には、図示しないワイヤ或いは板バネによって支持された対物レンズ７０が設けられている。対物レンズ７０は駆動コイル７２の駆動によりフォーカシング方向（レンズの光軸方向）への移動が可能で、又駆動コイル７１の駆動によりトラッキング方向（レンズの光軸と直交する方向）への移動が可能である。
【００２８】
変調回路７３は情報記録時にホスト装置９４からインターフェース回路９３を介して供給されるユーザデータを例えば８−１４変調（ＥＦＭ）して、ＥＦＭデータを提供する。レーザ制御回路７５は情報記録時（マーク形成時）に、変調回路７３から供給されるＥＦＭデータに基づいて、書き込み用信号をレーザダイオード７９に提供する。又、レーザ制御回路７５は情報読取り時に、前記書き込み信号より小さい読取り用信号をレーザダイオード７９に提供する。
【００２９】
フォトダイオードにより構成されるフロントモニターＦＭはレーザダイオード７９が発生するレーザ光の光量つまり発光パワーを検出し、検出電流をレーザ制御回路７５に供給する。レーザ制御回路７５はフロントモニターＦＭからの検出電流に基づいて、ＣＰＵ９２により設定された再生時レーザパワー及び記録時レーザパワーで発光するように、レーザダイオード７９を制御する。
【００３０】
レーザダイオード７９はレーザ制御回路７５から供給される信号に応じてレーザ光を発生する。レーザダイオード７９から発せられるレーザ光は、コリメータレンズ８０、ハーフプリズム８１、対物レンズ７０を介して光ディスク１００上に照射される。光ディスク１００からの反射光は、対物レンズ７０、ハーフプリズム８１、集光レンズ８２、およびシリンドリカルレンズ８３を介して、光検出器８４に導かれる。
【００３１】
光検出器８４は、例えば４分割の光検出セルから成り、これら光検出セルの検知信号はＲＦアンプ８５に出力される。ＲＦアンプ８５は光検知セルからの信号を処理し、ジャストフォーカスからの誤差を示すフォーカスエラー信号ＦＥ、レーザ光のビームスポット中心とトラック中心との誤差を示すトラッキングエラー信号ＴＥ、及び光検知セル信号の全加算信号であるＲＦ信号を生成する。
【００３２】
フォーカスエラー信号ＦＥはフォーカシング制御回路８７に供給される。フォーカシング制御回路８７はフォーカスエラー信号ＦＥに応じてフォーカス駆動信号を生成する。フォーカス駆動信号はフォーカシング方向の駆動コイル７１に供給される。これにより、レーザ光が光ディスク１００の記録膜上に常時ジャストフォーカスとなるフォーカスサーボが行われる。
【００３３】
トラッキングエラー信号ＴＥはトラッキング制御回路８８に供給される。トラッキング制御回路８８はトラッキングエラー信号ＴＥに応じてトラック駆動信号を生成する。トラッキング制御回路８８から出力されるトラック駆動信号は、トラッキング方向の駆動コイル７２に供給される。これによりレーザ光が光ディスク１００上に形成されたトラック上を常にトレースするトラッキングサーボが行われる。
【００３４】
上記フォーカスサーボおよびトラッキングサーボがなされることで、光検出器８４の各光検出セルの出力信号の全加算信号ＲＦには、記録情報に対応して光ディスク１００のトラック上に形成されたピットなどからの反射光の変化が反映される。この信号は、データ再生回路７８に供給される。データ再生回路７８は、ＰＬＬ回路７６からの再生用クロック信号に基づき、記録データを再生する。
【００３５】
上記トラッキング制御回路８８によって対物レンズ７０が制御されているとき、スレッドモータ制御回路６８により、対物レンズ７０がＰＵＨ６５内の所定位置近傍に位置するようスレッドモータ６６つまりＰＵＨ６５が制御される。
【００３６】
モータ制御回路６４、スレッドモータ制御回路６８、レーザ制御回路７３、ＰＬＬ回路７６、データ再生回路７８、フォーカシング制御回路８７、トラッキング制御回路８８、エラー訂正回路６２等は、バス８９を介してＣＰＵ９０によって制御される。ＣＰＵ９０はインターフェース回路９３を介してホスト装置９４から提供される動作コマンドに従って、この記録再生装置を総合的に制御する。又ＣＰＵ９０は、ＲＡＭ９１を作業エリアとして使用し、ＲＯＭ９２に記録された本発明によるプログラムを含む制御プログラムに従って所定の動作を行う。
【００３７】
次に、光ディスク装置の本発明に係る動作を説明する。
【００３８】
図６は印刷可能光ディスクのレーベル記録層に可視画像を印刷する際に、印刷情報をレーベル側情報記録帯に記録する動作を示すフローチャートである。このフローチャートの各ステップは、ＣＰＵ９０が例えばＲＯＭ９２に格納されているプログラムに従って装置各部を制御する動作を示している。
【００３９】
本実施形態では一例として、ディスク内周側にレーベル側情報記録帯１０２を有する光ディスク１００ａを適用する場合を説明する。光ディスク１００はレーベル側を下（ピックアップ６５側）にしてスピンドルモータ６３に到着されている。
【００４０】
ホスト装置９４からインターフェース９３を介して印刷情報ファイルの読込み指示を受信すると、ＣＰＵ９０はピックアップ６５を制御してレーザ光をレーベル側情報記録帯１０２上に移動する（ＳＴ１１）。ＣＰＵ９０は印刷情報ファイルをレーベル側情報記録帯１０２から読み込み（ＳＴ１２）、該印刷ファイルをホスト装置９４に送信する（ＳＴ１３）。
【００４１】
ホスト装置９４は、受信した印刷情報ファイルの内容を図示しない表示部に表示し、その表示に基づいてユーザは新たな印刷情報を作成する。新たな印刷情報はホスト装置９４からＣＰＵ９０に送信される。
【００４２】
新たな印刷情報を受信すると（ＳＴ１４でＹＥＳ）、ＣＰＵ９０は受信した印刷情報によりレーベル側記録帯１０２に記録されていた印刷情報を更新する（ＳＴ１５）。その後ＣＰＵ９０は、ピックアップ９５を制御して、受信した印刷情報に対応する可視画像をレーベル記録領域１０１ａの空きエリアに記録する（ＳＴ１６、ＳＴ１７）。
【００４３】
以上説明したように本発明によれば、レーベル面に可視画像を容易に追加印刷できる記録型光ディスク及び光ディスク装置を提供することができる。
【００４４】
以上の説明はこの発明の実施の形態であって、この発明の装置及び方法を限定するものではなく、様々な変形例を実施することができる。そのような変形例も本発明に含まれるものである。又、各実施形態における構成要素、機能、特徴あるいは方法ステップを適宜組み合わせて構成される装置又は方法も本発明に含まれるものである。
【図面の簡単な説明】
【００４５】
【図１】本発明の一実施形態に係る情報記録型光ディスク１００ａの構造を示す。
【図２】本発明の第２実施形態に係る情報記録型光ディスク１００ｂの構造を示す。
【図３】本発明の第３実施形態に係る情報記録型光ディスク１００ｃの構造を示す。
【図４】フタロシアニン系使用のＣＤ−Ｒディスクの記録前および記録後の光吸収率特性を示す。
【図５】本発明に係る光ディスク装置の一実施形態を示すブロック図である。
【図６】図５に示す光ディスク装置の本発明に係る動作を示すフローチャートである。
【符号の説明】
【００４６】
６３…スピンドルモータ、７０…対物レンズ、７１、７２…レンズ駆動コイル、７９…レーザダイオード、８０…コリメータレンズ、８１…ハーフプリズム、８２…集光レンズ、８３…シリンドリカルレンズ、ＦＭ…フロントモニタ、１００…光ディスク。
【図１】
2005339715.tif 000003
【図２】
2005339715.tif 000004
【図３】
2005339715.tif 000005
【図４】
2005339715.tif 000006
【図５】
2005339715.tif 000007
【図６】
2005339715.tif 000008